【手続補正書】
【提出日】平成17年1月6日(2005.1.6)
【手続補正１】
【補正対象書類名】明細書
【補正対象項目名】特許請求の範囲
【補正方法】変更
【補正の内容】
【特許請求の範囲】
【請求項１】
熱流束型示差走査熱流量計であって、昇降温可能な均熱容器内に、第１のセルと、第２のセルと、第１のセル及び第２のセルのそれぞれを温度測定可能に取り付けられた温度センサとを有する第１の熱流計板と、
基準試料となる第３のセルと、基準試料となる第４のセルと、第３のセル及び第４のセルのそれぞれを温度測定可能に取り付けられた温度センサとを有する第２の熱流計板とを備え、
前記第１の熱流計板の両端部と、前記第２の熱流計板の両端部とを、それぞれ前記均熱容器内に同一位置にて熱的に接触させて装架しており、
前記第１のセルが、試料を入れたセル、空のセル及び標準試料を入れたセルのいずれかであり、
前記第２のセルが、空のセル及び標準試料を入れたセルのいずれかであり、
前記第３のセル及び前記第４のセルが空のセルであり、
前記試料、前記標準試料及び前記基準試料の温度差に基づいて、前記試料の比熱を求める示差走査熱流計。
【請求項２】
前記第１の熱流計板と前記第２の熱流計板とが対称な構造かつ位置にて前記均熱容器内に設けられていることを特徴とする請求項１記載の示差走査熱流計。
【請求項３】
前記第１の熱流計板及び前記第２の熱流計板において、前記第１のセル、第２のセル、第３のセル及び第４のセルを配置する周囲に孔が設けられていることを特徴とする請求項１又は２に記載の示差走査熱流計。
【請求項４】
熱流束型示差走査熱流量計であって、昇降温可能な均熱容器内に、第１のセルと、第２のセルと、第１のセル及び第２のセルのそれぞれを温度測定可能に取り付けられた温度センサとを有する第１の熱流計板と、基準試料となる第３のセルと、基準試料となる第４のセルと、第３のセル及び第４のセルのそれぞれを温度測定可能に取り付けられた温度センサとを有する第２の熱流計板とを備え、前記第１の熱流計板の両端部と、前記第２の熱流計板の両端部とを、それぞれ前記均熱容器内に同一位置にて熱的に接触させて装架している示差走査熱流計にあって、
第１のセル、第２のセル、第３のセル及び第４のセルと前記均熱容器との間の熱抵抗が全て等しいとき、
試料を入れた第１のセルの温度と、標準試料を入れた第２のセルの温度と、空の第３のセル及び第４のセルの各温度とを同時に一回測定することにより、前記試料の比熱を決定する比熱測定方法。
【請求項５】
前記示差走査熱流計にあって、前記熱抵抗が等しくないとき、
第１のセル、第２のセル、第３のセル及び第４のセルの全てが空のときの各セルの温度を同時に測定する第１過程と、
試料を入れた第１のセルの温度と、標準試料を入れた第２のセルの温度と、空の第３のセル及び第４のセルの各温度と、を同時に測定する第２過程と、
標準試料を入れた第１のセル及び第２のセルの各温度と、空の第３のセル及び第４のセルの各温度と、を同時に測定する第３過程と、
を備え、
前記各過程における、第１のセルと第３のセルとの温度差と、第２のセルと第４のセルとの温度差に基づいて、前記試料の比熱を決定することを特徴とする請求項４記載の比熱測定方法。
【請求項６】
前記第１過程と前記第３過程とにより、前記第１のセルと第３のセルとの温度差及び前記第３のセルと第４のセルとの温度差が既に求められているとき、
前記第２過程の一回の測定のみで前記試料の比熱を決定することを特徴とする請求項５記載の比熱測定方法。
【手続補正２】
【補正対象書類名】明細書
【補正対象項目名】０００７
【補正方法】変更
【補正の内容】
【０００７】
Φ＝（Ｔh ーＴm ）／Ｒ                          …（１）
この熱流束により、熱容量がＣm （Ｃm1、Ｃm2）の試料温度測定点の部分（試料セルを載せる位置の周辺）、熱容量がＣ（Ｃ1 、Ｃ2 ）の空セル、熱容量が
Ｃs の試料は温度上昇し、その昇温速度がｄＴ／ｄｔ＝φとなる。Ｎｏ．１のセルｃ1 については、
（Ｔh1ーＴm1）／Ｒ1 ＝φ1 （Ｃm1＋Ｃ1 ＋Ｃs ）          …（２）
Ｎｏ．２のセルｃ2 についても同様に、
（Ｔh2ーＴm2）／Ｒ2 ＝φ2 （Ｃm2＋Ｃ2 ）                …（３）
理想的条件の下では、
Ｔh1＝Ｔh2    Ｒ1 ＝Ｒ2 ＝Ｒ(1)     φ1 ＝φ2 ＝φ(1)
Ｃm1＝Ｃm2＝Ｃm     Ｃ1 ＝Ｃ2                         …（４）
この条件の下で、（２）、（３）式より、
（Ｔm2ーＴm1）／Ｒ(1) ＝φ(1) ・Ｃs                     …（５）
ΔＴ(1) ＝Ｔm2ーＴm1＝Ｒ(1) ・φ(1) ・Ｃs           …（５´）
ここで、添字の（１）は第１回目の測定を示す。
【手続補正３】
【補正対象書類名】明細書
【補正対象項目名】００３３
【補正方法】変更
【補正の内容】
【００３３】
【課題を解決するための手段】
上記の課題を解決するために、本発明の示差走査熱流計は、熱流束型示差走査熱流量計であって、昇降温可能な均熱容器内に、第１のセルと、第２のセルと、第１のセル及び第２のセルのそれぞれを温度測定可能に取り付けられた温度センサとを有する第１の熱流計板と、基準試料となる第３のセルと、基準試料となる第４のセルと、第３のセル及び第４のセルのそれぞれを温度測定可能に取り付けられた温度センサとを有する第２の熱流計板とを備え、第１の熱流計板の両端部と、第２の熱流計板の両端部とを、それぞれ均熱容器内に同一位置にて熱的に接触させて装架しており、第１のセルが、試料を入れたセル、空のセル及び標準試料を入れたセルのいずれかであり、第２のセルが、空のセル及び標準試料を入れたセルのいずれかであり、第３のセル及び第４のセルが空のセルであり、試料、標準試料及び基準試料の温度差に基づいて、試料の比熱を求める構成を有している。
請求項２記載の発明は、上記構成に加え、第１の熱流計板と第２の熱流計板とが対称な構造かつ位置にて均熱容器内に設けられている構成を有している。
請求項３記載の発明は、第１の熱流計板及び第２の熱流計板において、第１のセル、第２のセル、第３のセル及び第４のセルを配置する周囲に孔が設けられている構成を有している。
請求項４記載の発明の比熱測定方法は、熱流束型示差走査熱流量計であって、昇降温可能な均熱容器内に、第１のセルと、第２のセルと、第１のセル及び第２のセルのそれぞれを温度測定可能に取り付けられた温度センサとを有する第１の熱流計板と、基準試料となる第３のセルと、基準試料となる第４のセルと、第３のセル及び第４のセルのそれぞれを温度測定可能に取り付けられた温度センサとを有する第２の熱流計板とを備え、第１の熱流計板の両端部と、第２の熱流計板の両端部とを、それぞれ均熱容器内に同一位置にて熱的に接触させて装架している示差走査熱流計にあって、第１のセル、第２のセル、第３のセル及び第４のセルと均熱容器との間の熱抵抗が全て等しいとき、試料を入れた第１のセルの温度と、標準試料を入れた第２のセルの温度と、空の第３のセル及び第４のセルの各温度とを同時に一回測定することにより、試料の比熱を決定する構成を有している。
請求項５記載の発明は、上記構成に加え、示差走査熱流計にあって、熱抵抗が等しくないとき、第１のセル、第２のセル、第３のセル及び第４のセルの全てが空のときの各セルの温度を同時に測定する第１過程と、試料を入れた第１のセルの温度と、標準試料を入れた第２のセルの温度と、空の第３のセル及び第４のセルの各温度とを同時に測定する第２過程と、標準試料を入れた第１のセル及び第２のセルの各温度と、空の第３のセル及び第４のセルの各温度とを同時に測定する第３過程とを備え、各過程における、第１のセルと第３のセルとの温度差と、第２のセルと第４のセルとの温度差に基づいて、試料の比熱を決定する構成を有している。
請求項６記載の発明は、第１過程と第３過程とにより、第１のセルと第３のセルとの温度差及び第３のセルと第４のセルとの温度差が既に求められているとき、第２過程の一回の測定のみで試料の比熱を決定する構成を有している。